(57)【要約】【課題】帽子用として汎用性を備え、帽子の型崩れや生地の損傷を抑制することのできる洗濯用ネットを提供すること。【解決手段】互いに離合可能な下側底面１１１と上側底面１１２とが互いの端部にて組み合うことにより、開閉可能な袋体１１が形成され、当該袋体１１の内部には、上記下側底面１１１から内部側に突出した筒状の突出部１４と、上記突出部１４の突出に応じて上記上側底面１１２から外部側に突出した収容部１３とが設けられ、上記袋体１１が閉鎖された状態にて、上記突出部１４が上記収容部１３に収容されることにより上記突出部１４と上記収容部１３の間に上記帽子のクラウンが収容され、上記下側底面１１１と上記上側底面１１２との間に上記帽子の鍔が収容されることを特徴とした洗濯用ネット１を用いる。【選択図】図２
2014100245.tif 000002
【特許請求の範囲】
【請求項１】
帽子の洗濯に用いられ、少なくともその一部又は全部が通水可能な素材で形成された洗濯用ネットであって、
互いに離合可能な下側底面と上側底面とが互いの端部にて組み合うことにより、開閉可能な袋体が形成され、
前記袋体の内部には、前記下側底面から内部側に突出した筒状の突出部と、前記突出部の突出に応じて前記上側底面から外部側に突出した収容部とが設けられ、
前記袋体が閉鎖された状態にて、前記突出部が前記収容部に収容されることにより前記突出部と前記収容部の間に前記帽子のクラウンが収容され、前記下側底面と前記上側底面との間に前記帽子の鍔が収容されることを特徴とした洗濯用ネット。
【請求項２】
前記通水可能な素材が、上側メッシュと、下側メッシュと、前記上側メッシュ及び前記下側メッシュに接して厚さ方向の圧力に弾性で対抗する補強材と、を含む少なくとも３層の構造を備えたことを特徴とする請求項１記載の洗濯用ネット。
【発明の詳細な説明】
【技術分野】
【０００１】
本発明は、洗濯用ネットに関し、さらに詳しくは帽子の洗濯に用いられる洗濯用ネットに関する。
【背景技術】
【０００２】
周知の通り、洗濯用ネットは、衣類等、洗濯機を用いた洗濯に伴って型崩れを生じやすい被洗濯物を中に入れて用いられる物品であり、その多くがファスナーを備えたメッシュ素材の袋として提供される。これを用いることにより、被洗濯物は、洗濯中において、洗濯機による強力な水流によって想定外に形状変化することから保護される。そのため、洗濯用ネットは、ニット製品を初めとしたデリケートな被洗濯物の洗濯に広く用いられている。
【０００３】
洗濯用ネットの一例として、特許文献１には、メッシュ素材の内側にループ状の起毛を設けたものが提案されている。このような洗濯用ネットを用いて衣類の洗濯を行う場合、内側に設けられたループ状の起毛によって衣類の汚れが掻き落とされるとともに、当該起毛がクッションとなって洗濯機による強力な水流から衣類を保護することができる。
【０００４】
ところで、洗濯機の水流により容易に型崩れしてしまうために、洗濯が極めて困難な衣類の一つに帽子がある。帽子は、頭を保護するクラウンとクラウンの下部に儲けられた鍔（庇）とを備え、洗濯機による強力な水流によってクラウンが潰れてしまったり鍔が変形してしまったりする。特に、フェルト生地で製造された帽子は、一度型崩れをしてしまうと、特殊な用具を用いて加熱をしながら形を修復しなければならず、一般家庭で洗濯をすることが事実上不可能といえる。しかしながら、このような帽子は、各種の制帽として一般的に用いられる形式であり、デパート等の従業員の制帽として年中使用されるばかりでなく、遊びに夢中になって衣類を汚すことの多い幼稚園児の制帽としても用いられるものであるので、洗濯ができないということは衛生上大きな問題がある。
【０００５】
このようなことから、特許文献２には、帽子用の洗濯用ネットが提案されている。特許文献２によれば、このような洗濯用ネットを用いることにより、帽子の型崩れや生地の傷みを抑制しながら洗濯をすることができるとされる。
【先行技術文献】
【特許文献】
【０００６】
【特許文献１】特開２００６−２６１１２号公報
【特許文献２】特開２００３−３３５９８号公報
【発明の概要】
【発明が解決しようとする課題】
【０００７】
しかしながら、特許文献２に記載された洗濯用ネットは、クラウンの前方に鍔を備えた、いわゆる野球帽とも呼ばれる種類の帽子に適用されるものであり、一般的な制帽のように、クラウンの全周に鍔を備えた形式の帽子に適用することはできない。そのため、型崩れを抑制しながら制帽等の帽子を洗濯機で洗濯する手段がないのが現状である。
【０００８】
本発明は、以上の状況に鑑みてなされたものであり、帽子用として汎用性を備え、帽子の型崩れや生地の損傷を抑制することのできる洗濯用ネットを提供することを目的とする。
【課題を解決するための手段】
【０００９】
本発明者は、上記課題を解決するために鋭意検討を重ねた結果、下側底面と上側底面とから袋体が形成される洗濯用ネットの内部に、下側底面から袋体の内部側に突出し帽子のクラウンを収容することのできる突出部と、当該突出部の突出に応じて上側底面から外部側に突出した収容部と、を設け、さらに下側底面と上側底面との間に帽子の鍔を挟み込む構造を設けることにより、洗濯の際に、帽子が洗濯機の強力な水流から保護され、帽子の型崩れや生地の損傷が抑制されることを見出した。より具体的には、本発明は以下のものを提供する。
【００１０】
本発明は、帽子の洗濯に用いられ、少なくともその一部又は全部が通水可能な素材で形成された洗濯用ネットであって、互いに離合可能な下側底面と上側底面とが互いの端部にて組み合うことにより、開閉可能な袋体が形成され、当該袋体の内部には、上記下側底面から内部側に突出した筒状の突出部と、上記突出部の突出に応じて上記上側底面から外部側に突出した収容部とが設けられ、上記袋体が閉鎖された状態にて、上記突出部が上記収容部に収容されることにより上記突出部と上記収容部の間に上記帽子のクラウンが収容され、上記下側底面と上記上側底面との間に上記帽子の鍔が収容されることを特徴とした洗濯用ネットである。
【００１１】
上記通水可能な素材が、上側メッシュと、下側メッシュと、上記上側メッシュ及び上記下側メッシュに接して厚さ方向の圧力に弾性で対抗する補強材と、を含む少なくとも３層の構造を備えることが好ましい。
【発明の効果】
【００１２】
本発明によれば、帽子用として汎用性を備え、帽子の型崩れや生地の損傷を抑制することのできる洗濯用ネットが提供される。
【図面の簡単な説明】
【００１３】
【図１】図１は、本発明の洗濯用ネット１の第一実施形態の外観を正面視した斜視図である。
【図２】図２は、本発明の洗濯用ネット１の第一実施形態において、下側底面１１１と上側底面１１２とからなる袋体１１を開いた様子を正面視した斜視図である。
【図３】図３は、本発明の洗濯用ネット１の第一実施形態において、帽子２が本発明の洗濯用ネットに収容される様子を正面視した斜視図である。
【図４】図４は、本発明の洗濯用ネット１の第一実施形態の外観を背面側からみた様子を示す部分斜視図である。
【図５】図５は、本実施形態の洗濯用ネット１で用いられるメッシュ地３の内部構造を模式的に示す拡大断面図である。
【図６】図６は、本発明の洗濯用ネット１Ａの第二実施形態の外観を正面から見た様子を示す斜視図である。
【発明を実施するための形態】
【００１４】
以下、本発明の洗濯用ネットの実施形態について、図面を参照しながら説明する。なお、以下に述べる実施形態は本発明の一例であり、本発明は以下の実施形態に何ら限定されるものではない。
【００１５】
［第一実施形態］
まず、本発明の洗濯用ネットの第一実施形態について図面を参照しながら説明する。図１は、本発明の洗濯用ネット１の第一実施形態の外観を正面視した斜視図である。図２は、本発明の洗濯用ネット１の第一実施形態において、下側底面１１１と上側底面１１２とからなる袋体１１を開いた様子を正面視した斜視図である。図３は、本発明の洗濯用ネット１の第一実施形態において、帽子２が本発明の洗濯用ネットに収容される様子を正面視した斜視図である。図４は、本発明の洗濯用ネット１の第一実施形態の外観を背面側からみた様子を示す部分斜視図である。
【００１６】
洗濯用ネット１は、鍔とクラウンとを備えた帽子の洗濯に用いられ、洗濯の際の水流や衝撃から帽子を保護することで当該帽子の型崩れや生地の傷みを抑制する。洗濯用ネット１が適用される帽子としては特に限定されず、クラウンの前方のみに鍔を備えた、いわゆる野球帽タイプの帽子に適用してもよいし、クラウンの周囲全体に鍔を備えた、麦わら帽タイプの帽子に適用してもよい。なお、本明細書において、野球帽タイプや麦わら帽タイプという呼び方は、帽子の形状を表す目的のみで用いられる用語であり、例えば、麦わら帽タイプの帽子としては、幼稚園児や婦人警官等が用いる制帽のような帽子や、パナマ帽と呼ばれる帽子等といった、クラウンの周囲全体に鍔を備えたタイプの帽子全般を挙げることができる。帽子は、洗濯用ネット１が適用されるに際して、洗濯用ネット１の内部に収容される。図３では、麦わら帽タイプの帽子２が洗濯用ネット１の内部に収容される様子を示している。
【００１７】
洗濯用ネット１は、袋体１１と、袋体１１と内部で連通した収容部１３と、袋体１１の内部に位置する突出部１４と、を備える。
【００１８】
袋体１１は、下側底面１１１と上側底面１１２とを備え、下側底面１１１及び上側底面１１２の端部（周縁部）に、これらを互いに連結するためのファスナー１９を備える。袋体１１は、下側底面１１１の端部（周縁部）と上側底面１１２の端部（周縁部）とがファスナー１９の閉鎖によって組み合うことにより袋状となり、下側底面１１１の端部と上側底面１１２の端部とがファスナー１９の開放によって分離することにより開放状態となる。このように、下側底面１１１と上側底面１１２とは、大きな開口部を形成したり当該開口部を閉じたりできるように、互いに離合可能な状態で構成される。袋体１１が開放状態であるときに、帽子２が洗濯用ネット１の内部に出し入れされ、袋体１１が閉鎖状態（すなわち袋状）であるときに、帽子２の洗濯が行われる。
【００１９】
下側底面１１１と上側底面１１２とは、洗濯用ネット１の背面側において、連結部１５により連結される（図４）。この連結部１５は、テープ状の布製部材であり、一端が下側底面１１１に縫い付けられ、他端が上側底面１１２に縫い付けられている。そのため、連結部１５は、下側底面１１１と上側底面１１２とが互いに離合する際にヒンジのような役割を担い、下側底面１１１と上側底面１１２とが完全に分離するのを防止する。
【００２０】
袋体１１は、内部に収容された帽子２に洗浄水が行き渡るようにするために、通水可能なメッシュ地で形成されている。つまり、袋体１１を構成する下側底面１１１及び上側底面１１２が通水可能なメッシュ地となっている。このメッシュ地の構造について図５を参照しながら説明する。図５は、本実施形態の洗濯用ネット１で用いられるメッシュ地３の内部構造を模式的に示す拡大断面図である。メッシュ地３は、上側メッシュ３１と、下側メッシュ３２と、上側メッシュ３１及び下側メッシュ３２に接して設けられた補強材３３とを含んで構成される。つまり、メッシュ地３は、上側メッシュ３１と、下側メッシュ３２と、補強材３３とを含む３層構造となる。補強材３３としては、ナイロン糸が好ましく用いられる。メッシュ地３がこのような構造を備えることにより、メッシュ地３は、その厚さ方向に圧力が加わった際に、補強材３３の弾性によりその圧力に対抗することが可能であり、潰れずにその形状を維持することができる。これにより、洗濯時の衝撃から、袋体１１の内部に存在する帽子２が守られる。
【００２１】
袋体１１の内部には、内部に収容された帽子２が洗濯中に移動してしまうのを抑制すべく、突出部１４が設けられる。突出部１４は、その上方より帽子のクラウン２２が被さることができるように形成されており、帽子２が袋体１１の内部に収容されているとき、帽子２のクラウン２２の内側に存在する。これにより、帽子２は、突出部１４に引っかかった状態となって、袋体１１の内部で前後左右方向への動きが規制される。
【００２２】
突出部１４は、筒状の突出胴部１４１と、突出胴部１４１の内側に設けられた補強筒部１４２とを備える。突出胴部１４１は、下端が下側底面１１１の表面に縫い付けられており、これにより突出部１４は、下側底面１１１の表面から袋体１１の内部側に突出した状態で下側底面１１１と一体化している。補強筒部１４２は、突出胴部１４１を構成する生地の一部が突出部１４の内側に向けてループ状になるように縫い合わせられて、突出上部の下端から上端まで伸びる筒状体として形成される。補強筒部１４２は、このような構造を備えることにより、突出部１４が自立するのを助ける。
【００２３】
突出部１４は、袋体１１と同様に通水可能なメッシュ地で形成されている。このメッシュ地は、上述のメッシュ地３である。上述のメッシュ地３は厚さ方向に対する圧力に対抗することが可能であるため、突出部１４をメッシュ地３で構成することにより、突出部１４の自立が助けられる。
【００２４】
上側底面１１２には、突出部１４の突出に応じて、袋体１１の内部側から外部側へ突出した収容部１３が設けられる。収容部１３は、収容胴部１３１と収容天部１３２とからなる。収容胴部１３１は、筒状の部材であり、袋体１１の内部と連通するように、その下端が上側底面１１２の表面側（すなわち袋体１１の外部側）の略中央部に縫い付けられて、上側底面１１２と一体化されている。つまり、上側底面１１２には、収容胴部１３１が縫い付けられる領域の内側に穴が設けられており、その穴を覆うように収容胴部１３１が縫い付けられる。収容胴部１３１の上端には、収容胴部１３１の内部空間を上から覆うように収容天部１３２が設けられる。
【００２５】
収容胴部１３１及び収容天部１３２は、袋体１１と同様に通水可能なメッシュ地で形成されている。このメッシュ地は、上述のメッシュ地３である。したがって、洗浄水が袋体１１の内部に入って帽子２の洗浄が可能になるとともに、袋体１１の内部に存在する帽子２が洗濯時の衝撃から守られる。
【００２６】
収容部１３は、その内部に袋体１１の内部と連通した空間を備える。そして、その空間には、袋体１１が閉鎖された状態にて突出部１４が収容される。したがって、袋体１１の内部に帽子２が収容され、かつ袋体１１が閉鎖された状態において、帽子２のクラウン２２は、突出部１４と収容部１３との間に収容される。このとき同時に、帽子２の鍔２１は、下側底面１１１と上側底面１１２との間に収容される。
【００２７】
なお、帽子のクラウン２２は、人体頭部の形状に合わせてその前後方向が長径となりその左右方向が短径となる楕円形状とされるのが一般的である。そして、通水可能なメッシュ地の多くは、直交する二方向のうちの一方向のみによく伸長し他方向にはそれほど伸長しない傾向がある。そこで、収容天部１３２では、それを構成するメッシュ地のよく伸長する側の方向が、収容される帽子のクラウン２２の前後方向と一致していることが好ましい。これにより、洗濯用ネット１に収容される帽子のクラウン２２が収容部１３の収縮力により押さえ込まれ、洗濯用ネット１の内部で帽子２の位置がより一層固定されることになる。
【００２８】
以上のような構成により、洗濯用ネット１は、帽子２を固定状態で収容することができる。また、洗濯用ネット１は、各部材が厚さ方向の圧力に対抗可能なメッシュ材３で構成されているので、これに収容された帽子２は、洗濯時の衝撃から保護され、洗濯時の水流や衝撃による型崩れや生地の傷みが抑制される。なお、上記の説明では、クラウン２２の全周に鍔２１を備えた帽子２に対して洗濯用ネット１を適用した態様を説明したが、クラウンの前方のみに鍔を備えたタイプの帽子（いわゆる野球帽タイプの帽子）にも同様に洗濯用ネット１が適用される。このように、洗濯用ネット１は、各種の帽子用として汎用性を備える。
【００２９】
［第二実施形態］
次に、本発明の洗濯用ネットの第二実施形態について図面を参照しながら説明する。図６は、本発明の洗濯用ネット１Ａの第二実施形態の外観を正面視した斜視図である。なお、本実施形態の説明において、上記第一実施形態の説明と重複する箇所については同じ符号を付してその説明を適宜省略する。
【００３０】
図６では、下側底面１１１と上側底面１１２とからなる袋体１１を開いた様子を示している。本実施形態の洗濯用ネット１Ａでは、突出部１４Ａが突出胴部１４１Ａ及び突出天部１４３Ａから構成されており、筒状の突出胴部１４１Ａは、その上端が突出天部１４３Ａにより閉鎖されている。突出部１４Ａの内部には、突出部１４Ａの自立を助けるために、第一実施形態における補強筒部１４２と同様の構成を備えてもよいし、突出部１４Ａの内部全体に綿状の詰め物を備えてもよい。
【００３１】
洗濯用ネット１Ａは、上述の洗濯用ネット１と同様に、袋体１１が閉鎖された状態において、帽子２のクラウン２２が突出部１４Ａと収容部１３の間に収容され、帽子２の鍔２１が下側底面１１１と上側底面１１２との間に収容される。
【００３２】
以上、具体的な実施形態を示すことにより本発明の洗濯用ネットを具体的に説明したが、本発明は、上記の実施形態に限定されず、本発明の範囲において適宜変更を加えて実施することができる。
【００３３】
例えば、上記実施形態では補強材３３としてナイロン糸を備えたメッシュ地３により各部材が構成されたが、メッシュ地に含まれる補強材として通水性を備えた板状部材を用いてもよい。
【００３４】
また、上記実施形態では、収容される帽子の洗濯効率を考慮して洗濯用ネット１、１Ａの全体が通水可能な素材で形成されたが、少なくともその一部が通水可能な素材であればよい。なお、帽子の中でも頭部に接するクラウン部が最も汚れやすいと考えられるため、洗濯用ネットの一部のみを通水可能とする場合、クラウン部の洗浄性を高めるために収容部１３を通水可能とすることが好ましい。
【００３５】
また、収容される帽子の鍔に対する補強効果をより高めるために、本発明の洗濯用ネットに帽子を収容するに際して、収容される帽子の鍔と下側底面との間に、剛性を備えた例えば樹脂製の補強ネットを挟んでもよい。
【符号の説明】
【００３６】
１、１Ａ      洗濯用ネット
１１          袋体
１１１        下側底面
１１２        上側底面
１３          収容部
１４、１４Ａ  突出部
【図１】
2014100245.tif 000003
【図２】
2014100245.tif 000004
【図３】
2014100245.tif 000005
【図４】
2014100245.tif 000006
【図５】
2014100245.tif 000007
【図６】
2014100245.tif 000008